(57)【特許請求の範囲】
【請求項１】
害虫防除成分を保持した薬剤保持材と、駆動手段によって駆動されるファンと、前記駆動手段に電源を供給する電源供給手段とを備え、前記ファンによる気流を前記薬剤保持材に当てて前記害虫防除成分を揮散させる害虫防除装置において、
前記ファンの駆動回数が所定の基準値より低くなったことを表示する表示手段と、
前記駆動手段に印加される電圧値を所定の規定値と比較する比較手段と、
前記比較手段の出力によってオン・オフを出力する電圧検出手段と、
前記駆動手段と抵抗の直列接続回路に並列に、前記表示手段と抵抗との直列接続回路を介して接続された点灯制御手段と
を備え、
前記点灯制御手段は、シュミット型インバータと抵抗とコンデンサとの直列接続回路と、前記シュミット型インバータと抵抗とコンデンサとの直列接続回路に並列に、前記コンデンサを充電する第１抵抗と、前記コンデンサの電荷をダイオードを介して放電する前記第１抵抗より小さな抵抗値の第２抵抗とがそれぞれ接続されて成るものであり、
前記駆動手段に印加される電圧値が前記所定の規定値以上のとき、前記電圧検出手段は前記点灯制御手段に対して前記コンデンサの充填時間を速くさせ、前記駆動手段に印加される電圧値が前記所定の規定値未満のとき、前記電圧検出手段は前記点灯制御手段に対して前記コンデンサの充填時間を遅くさせ、前記駆動手段に印加される電圧値が前記表示手段の点灯開始電圧未満になったら消灯することにより、前記表示手段の表示状態を、点灯、点滅、消灯に制御することを特徴とする害虫防除装置。
【発明の詳細な説明】
【０００１】
【発明の属する技術分野】
本発明は害虫防除装置に関し、詳しくは、電池の消耗や部品故障等に伴う害虫防除機能の低下を検出できる害虫防除装置に関する。
【０００２】
【従来の技術】
従来、害虫防除装置として、害虫防除成分を保持した薬剤保持材をチャンバ内に支持し、チャンバ内に装備されたファンによる気流を前記薬剤保持材に当てて、害虫防除成分をチャンバ外に揮散させるものがある。
ファンは、チャンバ内における吸気口と排気口との間に設けられ、電動モータ等によって駆動される。薬剤保持材は、害虫防除装置が所謂押出式の場合、チャンバ内におけるファンと排気口との間に設けられ、また害虫防除装置が所謂吸引式の場合、チャンバ内におけるファンと吸気口との間に設けられる。
【０００３】
前記害虫防除装置における、ファン駆動用のモータを一般家庭用の商用電源で駆動した場合、供給電圧が一定であるため揮散量は安定するものの、当然ながら商用電源の供給されない場所では使用できない。また、商用電源の供給される場所であっても、接続コードの長さによって設置場所が制約される。
そこで、商用電源によらず、電池等を用いて電動モータを駆動することが考えられる。
【０００４】
【発明が解決しようとする課題】
電池等を用いて害虫防除装置のファン駆動用モータを駆動した場合、電池の消耗に伴ってファンの駆動回数が低下して、ついには規定の駆動回数よりも低い駆動回数でファンが駆動されるようになる。そして更なる電池の消耗に伴って、ファンの駆動回数は益々低下していき、最後にファンが停止する。
本発明者は、ファンの駆動回数が規定値より低くなると、害虫防除成分を所定量揮散できなくなり、害虫防除機能が低くなってしまうことを見出した。また、部品故障等によってファンの駆動回数が規定値に達しない場合も、同様の問題が生じることを見出した。従来の害虫防除装置においては、ファンの駆動回数が規定値より低くなってからファンの駆動が停止するまでの間の、このような害虫防除機能の低下に関する考慮がなされていなかった。
【０００５】
本発明は、以上のような背景に基づいてなされたものであって、その目的は、ファンの駆動回数低下を検出し、害虫防除機能が低い状態での作動を防止することができる害虫防除装置を提供することにある。
【０００６】
【課題を解決するための手段】
本発明の前記目的は、害虫防除成分を保持した薬剤保持材と、駆動手段によって駆動されるファンと、前記駆動手段に電源を供給する電源供給手段とを備え、前記ファンによる気流を前記薬剤保持材に当てて前記害虫防除成分を揮散させる害虫防除装置において、
前記ファンの駆動回数が所定の基準値より低くなったことを表示する表示手段と、
前記駆動手段に印加される電圧値を所定の規定値と比較する比較手段と、
前記比較手段の出力によってオン・オフを出力する電圧検出手段と、
前記駆動手段と抵抗の直列接続回路に並列に、前記表示手段と抵抗との直列接続回路を介して接続された点灯制御手段と
を備え、
前記点灯制御手段は、シュミット型インバータと抵抗とコンデンサとの直列接続回路と、前記シュミット型インバータと抵抗とコンデンサとの直列接続回路に並列に、前記コンデンサを充電する第１抵抗と、前記コンデンサの電荷をダイオードを介して放電する前記第１抵抗より小さな抵抗値の第２抵抗とがそれぞれ接続されて成るものであり、
前記駆動手段に印加される電圧値が前記所定の規定値以上のとき、前記電圧検出手段は前記点灯制御手段に対して前記コンデンサの充填時間を速くさせ、前記駆動手段に印加される電圧値が前記所定の規定値未満のとき、前記電圧検出手段は前記点灯制御手段に対して前記コンデンサの充填時間を遅くさせ、前記駆動手段に印加される電圧値が前記表示手段の点灯開始電圧未満になったら消灯することにより、前記表示手段の表示状態を、点灯、点滅、消灯に制御することを特徴とする害虫防除装置によって達成される。
【０００７】
以上のような構成の害虫防除装置によれば、シュミット型インバータと抵抗とコンデンサとの直列接続回路と、前記シュミット型インバータと抵抗とコンデンサとの直列接続回路に並列に、前記コンデンサを充電する第１抵抗と、前記コンデンサの電荷をダイオードを介して放電する前記第１抵抗より小さな抵抗値の第２抵抗とがそれぞれ接続されて成るものであり、前記駆動手段に印加される電圧値が前記所定の規定値以上のとき、前記電圧検出手段は前記点灯制御手段に対して前記コンデンサの充填時間を速くさせ、前記駆動手段に印加される電圧値が前記所定の規定値未満のとき、前記電圧検出手段は前記点灯制御手段に対して前記コンデンサの充填時間を遅くさせ、前記駆動手段に印加される電圧値が前記表示手段の点灯開始電圧未満になったら消灯することにより、前記表示手段の表示状態を、点灯、点滅、消灯に制御するので、ユーザーは、害虫防除機能が低い状態で害虫防除装置を作動させることを防止できる。
【０００８】
ファンとしては、ロータリーファン、シロッコファン、ピエゾファン等を採用できる。
電源供給手段としては、アルカリ電池、マンガン電池、水銀電池等を使用できる。太陽電池、カドニカ電池、蓄電池等も使用できる。また家庭用商用電源を用いてもよく、部品故障等によってファンの回転数が所定の規定値に達しない場合、そのことをユーザーは表示手段によって認識できる。
表示手段の形態も限定されないが、僅かな電力で作動する発光ダイオードを用いることが好ましい。
【０００９】
本発明において薬剤保持材に保持させる害虫防除成分は特に限定されない。代表的なものを以下に例示する。
・ｄｌ−３−アリル−２−メチル−４−オキソ−２−シクロペンテニル  ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル  ｄ−シス／トランス−クリサンテマート（商品名ピナミンフォルテ：住友化学工業株式会社製）
・ｄｌ−３−アリル−２−メチル−４−オキソ−２−シクロペンテニル  ｄ−トランス−クリサンテマート（商品名バイオアスレリン：ユクラフ社製）
・ｄ−３−アリル−２−メチル−４−オキソ−２−シクロペンテニル  ｄ−トランス−クリサンテマート（商品名エキスリン：住友化学工業株式会社製、商品名エスバイオール：ユクラフ社製）
・（５−ベンジル−３−フリル）メチル  ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル  ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル  ３−（２，２−ジクロロエテニル）−２，２−ジメチルシクロプロパンカルボキシラート等。
【００１０】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基又はハロゲン原子である化合物を用いることもできる。
この他にも、フィプロニール、Ｓ−１２９５、Ｓ−４１３１１などの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。
【００１１】
こうした中でも、常温で難揮散性のものが好ましく、さらに、エンペントリン、プラレトリン、レスメトリン、エスバイオール、フラメトリン、テラレスリン、トランスフルスリン及びＳ−ハイドロプレンが特に好ましい。
このような害虫防除成分は単独で用いてもよく、組み合わせて用いてもよい。また、これらの類縁体も用いられる。
これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、長時間にわたって害虫防除効果を得ることができる。
【００１２】
薬剤保持材に薬剤を保持させる際に、薬剤保持材に薬剤を容易に含浸させるための理由で液状薬剤を低粘度化する添加剤として、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要によりしようすることができる。
また、薬剤保持材に薬剤を保持させる際に、その他の補助成分とともにこれを保持させることができ、例えば、蒸散促進用助剤として昇華性物質を添加すると揮散効果が高まってよい。害虫防除成分としてピレスロイド系化合物を使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。またインジケーターとして経時間指示剤を併用すると薬剤の残量が分かるというメリットがある。
【００１３】
薬剤保持材は、形態、材質、サイズ等を任意に設定できるが、簡単な構造で、通気性の大きいものが好ましい。例えば、ハニカム形状、すのこ形状、蛇腹形状、網形状、スリット形状、格子形状又は開孔を設けた紙類等の構造のものを採用できる。各セルの形状も本発明の効果の面では問題にならない。上記した以外の形状として、例えば６角形蜂の巣形状でも、円形状、Ｓ字形状でもよい。
【００１４】
薬剤保持材を形成する材質は、害虫防除成分を十分に保持できるものであれば特に限定されない。しかし、保持した害虫防除成分を一時に揮散させるようなものより、要求される時間にわたって同じ量の害虫防除成分を連続的に揮散させることができるような材質であることが好ましい。
例えば紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００１５】
また、薬剤保持材は、害虫防除成分を含む薬剤を保持し、これらの一種又は二種以上を組み合わせて任意の形状にして使用するものであってもよい。
薬剤保持材に害虫防除成分等を保持させるには、薬剤保持材に薬剤を滴下塗布、含浸塗布、スプレー塗布等の液状塗布方法、液状印刷、はけ塗り等の方法、或いは薬剤保持材へ貼りつけする方法等を用いることができる。更に、使用する組成物が液状のものでない場合、或いは溶剤を使用しない場合、混練込み、塗布、印刷等の方法を適用できる。
【００１６】
薬剤保持材に保持される害虫防除成分量は、通常、当該薬剤保持材の飽和含浸量までとするが、薬剤保持材に別途補給用容器を吸液材を介して連結することにより、長期間にわたり連続的に容器内の液がなくなるまで使用可能な形態にすることもできる。
【００１７】
【発明の実施の形態】
以下、図面に基づいて本発明の実施の形態を説明する。図１に、本発明の第１実施形態である害虫防除装置の分解斜視図を示す。害虫防除装置１０は、天板および側壁を有する上チャンバ１１と、底板および側壁を有する下チャンバ１２とを組み合せることで構成されるチャンバを備えている。上チャンバ１１の天板には、桟によって区画された複数の開口である排気口１１ａが設けられている。下チャンバ１２の側壁には、桟によって区画された複数の開口である吸気口１２ａが設けられている。また図示しないが、下チャンバ１２の底板にも、桟や格子によって区画された複数の開口である吸気口が設けられている。
【００１８】
チャンバ内にはモータ１４、モータ１４により回転されるファン１３、ファン１３の回転状態を表示する表示手段としての発光ダイオード１５、モータ１４及び発光ダイオード１５を制御する制御回路（図示しない）等が収容される。また、下チャンバ１２には電池収容部１６が備えられ、この電池収容部１６に電池をセットすることで、モータ１４や発光ダイオード１５に電源を供給することが可能となる。
【００１９】
ファン１３は、複数のプロペラ翼１３ａを有しており、モータ１４とともに所謂軸流送風機構を構成する。そしてファン１３と上チャンバ１１との間に薬剤保持材１７がセットされる。
【００２０】
上チャンバ１１には、発光ダイオード１５の光を外部に表示するための表示部１９が設けられている。表示部１９は天板に設けた孔でもよいし、そのような孔を透光部材で覆った構成でもよい。更に上チャンバ１１からは、害虫防除装置１０を駆動・停止するためのスイッチ２０が表出されている。
【００２１】
図２は、前述したモータ１４及び発光ダイオード１５を制御する制御回路３０を示す回路構成図である。制御回路３０はモータ１４に並列接続されており、これら制御回路３０およびモータ１４には、スイッチ２０を介して、電池２１から電圧が印加される。ここでは、直列接続された２本の電池２１から３Ｖの電圧が印加されるものとする。制御回路３０は、モータ１４に印加される電圧を検出する電圧検出回路３１と、発光ダイオード１５の点灯時間を制御する点灯制御回路４０とを備えている。
【００２２】
電圧検出回路３１は、ツェナーダイオードＺＤと、インバータ３２と、Ｎ型ＦＥＴ３３と、抵抗Ｒ５とを備えている。電圧検出回路３１内の構成要素の接続関係を説明すると、先ず、電源供給経路２２がツェナーダイオードＺＤの陰極端子に接続され、ツェナーダイオードＺＤの陽極端子がインバータ３２の入力端子に接続されている。また、インバータ３２の出力端子がＦＥＴ３３のゲート電極に接続されている。そして、ＦＥＴ３３のソース電極が接地され、ＦＥＴのドレイン電極が点灯制御回路４０に接続されている。
【００２３】
点灯制御回路４０は、ダイオードＤ１，Ｄ２と、抵抗Ｒ１〜Ｒ４と、シュミット型インバータ４１と、コンデンサＣとを備えている。点灯制御回路４０内の構成要素の接続関係を説明すると、先ず、ダイオードＤ１の陽極端子が抵抗Ｒ１を介して発光ダイオード１５の陰極端子に接続されている。また、ダイオードＤ１と並列に、ダイオードＤ２の陰極端子が抵抗Ｒ２を介して発光ダイオード１５の陰極端子に接続されている。また、ダイオードＤ１，Ｄ２と並列に、抵抗Ｒ３の一端が発光ダイオード１５の陰極端子に接続されている。さらに、ダイオードＤ１，Ｄ２および抵抗Ｒ３と並列に、シュミット型インバータ４１の出力端子が発光ダイオード１５の陰極端子に接続されている。そして、ダイオードＤ１の陰極端子、ダイオードＤ２の陽極端子、抵抗Ｒ３の他端およびシュミット型インバータ４１の入力端子は、コンデンサＣを介して接地されている。
【００２４】
なお、発光ダイオード１５の陽極端子は電源供給経路２２に接続されている。また、電圧検出回路３１のＦＥＴ３３のドレイン電極は、点灯制御回路４０におけるダイオードＤ１の陰極端子と抵抗Ｒ１との間に接続されている。ツェナーダイオードＺＤは、所定値以上の負電圧が印加されたときブレークダウンする。ここでは、２．２［Ｖ］以上の負電圧が印加されたとき、ツェナーダイオードＺＤがブレークダウンするように設定されている。
【００２５】
点灯制御回路４０における抵抗Ｒ１の抵抗値は、抵抗Ｒ３の抵抗値より低く設定される。ここでは、抵抗Ｒ１の抵抗値は１０［ｋΩ］、抵抗Ｒ３の抵抗値は２５０［ｋΩ］、また、抵抗Ｒ２の抵抗値は１［ｋΩ］に設定されている。
シュミット型インバータ４１としては、入力端子が２［Ｖ］以上のとき出力端子が“Ｌ"レベル電位となり、一度出力端子が“Ｌ"レベル電位となった後は、入力端子が１［Ｖ］以下になるまで出力端子が“Ｌ"レベル電位を維持するものが使用されている。
【００２６】
以下、制御回路３０の動作を説明する。スイッチ２０がオンされると、モータ１４に３Ｖの電圧が印加される。このとき、電圧検出回路３１におけるツェナーダイオードＺＤがブレークダウンして、インバータ３２の出力端子が“Ｌ"レベル電位となる。これによりＦＥＴ３３はオン状態に遷移され、ＦＥＴ３３のドレイン電極の電圧レベルがグランドレベルとなる。
【００２７】
スイッチ２０をオンした当初、点灯制御回路４０におけるコンデンサＣには電荷が蓄積されていないため、シュミット型インバータ４１の入力端子は“Ｌ"レベル電位、出力端子は“Ｈ"レベル電位となる。したがって発光ダイオード１５は点灯しない。しかし、シュミット型インバータ４１の出力端子から抵抗Ｒ１およびダイオードＤ１を介して、更にシュミット型インバータ４１の出力端子から抵抗Ｒ３を介して、コンデンサＣに電流が供給され、コンデンサＣに電荷が蓄積されていく。
【００２８】
そして、ある時点でシュミット型インバータ４１の入力端子が“Ｈ"レベル電位、出力端子が“Ｌ"レベル電位となる。このとき発光ダイオード１５が点灯する。しかし発光ダイオード１５が点灯した直後から、コンデンサＣは、ダイオードＤ２および抵抗Ｒ２を介して、更に抵抗Ｒ３を介して放電されていく。
【００２９】
そして、再びシュミット型インバータ４１の入力端子が“Ｌ"レベル電位、出力端子が“Ｈ"レベル電位となった時点で、発光ダイオード１５が消灯する。
その後、コンデンサＣに再び電荷が蓄積されていく。以後、このような動作を繰り返す。
【００３０】
点灯制御回路４０における抵抗Ｒ１の抵抗値を抵抗Ｒ３の抵抗値より小さくしたことにより、図３（Ａ）に示すように、発光ダイオード１５が点灯する期間（シュミット型インバータ４１の出力端子が“Ｌ"レベル電位となる期間）は、発光ダイオード１５が消灯する期間（シュミット型インバータ４１の出力端子が“Ｈ"レベル電位となる期間）より短くなる。ここで、例えば発光ダイオード１５の点灯周期が０．０２秒であれば、発光ダイオード１５は連続点灯しているように見える。そこで、点灯周期Ｔ１が０．０２秒以下となるように、制御回路３０を設定しておく。
【００３１】
図２に戻る。モータ１４を回転することで電池２１は消耗していく。そして、電源供給経路２２中のＸ点の電位が２．２［Ｖ］未満となったとき、電圧検出回路３１におけるツェナーダイオードＺＤが非導通となり、インバータ３２の出力端子が“Ｈ"レベル電位となる。これにより、ＦＥＴ３３のドレイン電極は、その電極の電位が周りの回路の電位によって決定されるフローティング状態となる。
【００３２】
このような状態になると、シュミット型インバータ４１の出力端子が“Ｈ"レベルの電位のときに、それまで抵抗Ｒ１およびダイオードＤ１を経由してコンデンサＣに供給されていた電流が、コンデンサＣに供給されなくなる。これにより、コンデンサＣに電荷を所定値以上蓄積する時間が長期化される。
【００３３】
このときの発光ダイオード１５の点灯状態を図３（Ｂ）に示す。例えば点灯周期が０．５秒であれば、発光ダイオード１５は点滅しているように見える。そこで、このときの点灯周期Ｔ２が０．５秒以上となるように、制御回路３０を設定しておく。
【００３４】
図２に戻る。そして、モータ１４を回転することで電池２１が更に消耗していき、電源供給経路２２中のＸ点の電位が１．８［Ｖ］未満となった時点で、発光ダイオード１５は連続消灯状態となる。
【００３５】
上述した害虫防除装置１０の一連の動作に伴う、発光ダイオード１５の点灯状態の経時的な変化を図４に示す。同図に示すように発光ダイオード１５は、モータに印加される電圧（モータ印加電圧）が３．０〜２．２［Ｖ］であるときは連続点灯しているように見えるが、モータ印加電圧が２．２［Ｖ］未満となると、間欠的に点灯（点滅）するように見える。そして、モータ印加電圧が１．８［Ｖ］未満となると、発光ダイオード１５は消灯する。
【００３６】
以上のような構成の害虫防除装置１０によれば、ファンの回転数に略比例するモータ印加電圧の変化に伴って、発光ダイオード１５の点灯周期が変化され、モータ印加電圧が２．２［Ｖ］（本実施形態における規定値）を下回るようになると、発光ダイオード１５が点滅してそのことをユーザーに知らせる。したがってユーザーは、害虫防除機能が低い状態で害虫防除装置１０を作動させることを防止できる。
【００３７】
図５は、本発明の第２実施形態における制御回路５０を示す回路構成図である。すでに第１実施形態で説明した構成要素等は、図５に同一符号又は相当符号を付すことにより説明を簡略化或いは省略する。
制御回路５０は、モータ１４に並列接続されており、これら制御回路５０およびモータ１４には、スイッチ２０を介して、電池２１から電圧が印加される。ここでも、３Ｖの電圧が印加されるものとする。制御回路５０は、モータ１４に印加される電圧を検出する電圧検出回路３１と、発光ダイオード１５の点灯時間を制御する点灯制御回路６０とを備えている。
【００３８】
点灯制御回路６０は、ダイオードＤ６と、抵抗Ｒ６〜Ｒ８と、シュミット型インバータ４１と、コンデンサＣ１，Ｃ２とを備えている。点灯制御回路６０内の構成要素の接続関係を説明すると、先ず、ダイオードＤ６の陰極端子が抵抗Ｒ６を介して発光ダイオード１５の陰極端子に接続されている。また、ダイオードＤ６と並列に、抵抗Ｒ７の一端が発光ダイオード１５の陰極端子に接続されている。さらに、ダイオードＤ６および抵抗Ｒ７と並列に、シュミット型インバータ４１の出力端子が発光ダイオード１５の陰極端子に接続されている。そして、ダイオードＤ６の陽極端子、抵抗Ｒ６の他端およびシュミット型インバータ４１の入力端子は、直列接続されたコンデンサＣ１，Ｃ２を介して接地されている。
【００３９】
なお、発光ダイオード１５の陽極端子は電源供給経路２２に接続されている。また、電圧検出回路３１のＦＥＴ３３のドレイン電極は、点灯制御回路４０におけるコンデンサＣ１とコンデンサＣ２との間に接続されている。
【００４０】
点灯制御回路６０における抵抗Ｒ６の抵抗値は、抵抗Ｒ７の抵抗値より低く設定される。ここでは、抵抗Ｒ６の抵抗値は１０［ｋΩ］、抵抗Ｒ７の抵抗値は１００［ｋΩ］に設定されている。
【００４１】
以下、制御回路５０の動作を説明する。スイッチ２０がオンされると、モータ１４に３Ｖの電圧が印加される。このとき、電圧検出回路３１におけるツェナーダイオードＺＤがブレークダウンして、インバータ３２の出力端子が“Ｌ"レベル電位となる。これによりＦＥＴ３３はオン状態に遷移され、ＦＥＴ３３のドレイン電極の電圧レベルがグランドレベルとなる。
【００４２】
スイッチ２０をオンした当初、点灯制御回路４０におけるコンデンサＣ１，Ｃ２には電荷が蓄積されていないため、シュミット型インバータ４１の入力端子は“Ｌ"レベル電位、出力端子は“Ｈ"レベル電位となる。したがって発光ダイオード１５は点灯しない。しかし、シュミット型インバータ４１の出力端子から抵抗Ｒ７を介して、コンデンサＣ１，Ｃ２に電流が供給され、コンデンサＣ１，Ｃ２に電荷が蓄積されていく。
【００４３】
そして、ある時点でシュミット型インバータ４１の入力端子が“Ｈ"レベル電位、出力端子が“Ｌ"レベル電位となる。このとき発光ダイオード１５が点灯する。しかし発光ダイオード１５が点灯した直後から、コンデンサＣ１，Ｃ２は、ダイオードＤ６および抵抗Ｒ６を介して、更に抵抗Ｒ７を介して放電されていく。
【００４４】
そして、再びシュミット型インバータ４１の入力端子が“Ｌ"レベル電位、出力端子が“Ｈ"レベル電位となった時点で、発光ダイオード１５が消灯する。
その後、コンデンサＣ１，Ｃ２に再び電荷が蓄積されていく。以後、このような動作を繰り返す。
本実施形態においても、抵抗Ｒ６の抵抗値を抵抗Ｒ７の抵抗値より小さくしたことにより、発光ダイオード１５が点灯する時間は、発光ダイオード１５が消灯する時間より短くなる。しかし、例えば点灯周期が０．０２秒であれば、発光ダイオード１５は連続点灯しているように見える。そこで、点灯周期が０．０２秒以下となるように、制御回路５０を設定しておく。
【００４５】
モータ１４を回転することで電池２１は消耗していく。そして、電源供給経路２２の電位が２．２Ｖ未満となったとき、電圧検出回路３１におけるツェナーダイオードＺＤが非導通となり、インバータ３２の出力端子が“Ｈ"レベル電位となる。これにより、ＦＥＴ３３のドレイン電極がフローティング状態をとり、コンデンサＣ１とコンデンサＣ２との間のドレイン電極の接続点における電位が０［Ｖ］となる。結果として、発光ダイオード１５の点灯周期が長くなり、発光ダイオード１５は間欠的に点灯するように見える。例えば点灯周期が０．５秒であれば、発光ダイオード１５は点滅しているように見える。そこで、このときの点灯周期が０．５秒以上となるように、制御回路５０を設定しておく。
【００４６】
そして、モータ１４を回転することで電池２１が更に消耗していき、電源供給経路２２の電位が１．８［Ｖ］未満となった時点で、発光ダイオード１５は連続消灯状態となる。
【００４７】
以上のような構成の制御回路５０を備えた害虫防除装置においても、ファンの回転数に略比例するモータ印加電圧の変化に伴って、発光ダイオード１５の点灯周期が変化され、モータ印加電圧が規定値を下回るようになると、発光ダイオード１５が点滅してそのことをユーザーに知らせる。したがってユーザーは、害虫防除機能が低い状態で害虫防除装置を作動させることを防止できる。
【００４８】
なお本発明は、前述した実施形態に限定されるものではなく、適宜な変形、改良等が可能である。
例えば、モータ１４の逆起電力を利用して発光手段を点灯させて、その発光手段の輝度によってモータ印加電圧を表示するようにしてもよい。
表示手段としては、発光ダイオード以外にも、他のランプ等の発光部品、更にはメロディ発生器やブザー等を用いることもできる。
また、前述した実施形態における電圧値、抵抗値等はあくまで一例であり、他の値に変更できる。
【００４９】
【発明の効果】
以上説明したように、本発明の害虫防除装置によれば、シュミット型インバータと抵抗とコンデンサとの直列接続回路と、前記シュミット型インバータと抵抗とコンデンサとの直列接続回路に並列に、前記コンデンサを充電する第１抵抗と、前記コンデンサの電荷をダイオードを介して放電する前記第１抵抗より小さな抵抗値の第２抵抗とがそれぞれ接続されて成るものであり、前記駆動手段に印加される電圧値が前記所定の規定値以上のとき、前記電圧検出手段は前記点灯制御手段に対して前記コンデンサの充填時間を速くさせ、前記駆動手段に印加される電圧値が前記所定の規定値未満のとき、前記電圧検出手段は前記点灯制御手段に対して前記コンデンサの充填時間を遅くさせ、前記駆動手段に印加される電圧値が前記表示手段の点灯開始電圧未満になったら消灯することにより、前記表示手段の表示状態を、点灯、点滅、消灯に制御する。したがってユーザーは、害虫防除機能が低い状態で害虫防除装置を作動させることを防止できる。
【図面の簡単な説明】
【図１】本発明の第1実施形態である害虫防除装置を示す概略分解斜視図である。
【図２】第１実施形態における制御回路を示す図である。
【図３】図２に示した制御回路の作用を示す図である。
【図４】図２に示した制御回路の作用を示す図である。
【図５】本発明の第２実施形態における制御回路を示す図である。
【符号の説明】
１０    害虫防除装置
１１ａ  排気口
１２ａ  吸気口
１３    ファン（駆動手段）
１４    モータ
１５    発光ダイオード（表示手段）
１７    薬剤保持材
２１    電池（電源供給手段）
【図１】
0004294178.tif 000002
【図２】
0004294178.tif 000003
【図３】
0004294178.tif 000004
【図４】
0004294178.tif 000005
【図５】
0004294178.tif 000006